(57)【要約】【課題】管理値によってジョブの処理が制限された場合でも，条件が変更されれば，不足分のみを容易に入手できる画像形成装置を提供すること。【解決手段】本発明の複写機１は，少なくとも部数および一部当たり出力枚数等の情報を含むジョブ要求に基づいて画像形成を行うものであって，一定期間内の出力済み枚数等と，一定期間内における出力枚数等の上限値とを記憶する記憶部１６と，ジョブ要求を受け付けて，記憶部１６に記憶されている上限値および出力済み枚数等に基づいてその実行を許容するか制限するかを判定する演算処理部１７とを有している。さらに，ジョブ要求はその実行が完了するまで記憶され，演算処理部１７によって実行が制限されたジョブ要求について，記憶部１６に記憶されている上限値および出力済み枚数等が変更されたときには，再度演算処理部１７によってその実行を許容するか制限するかが判定される。【選択図】            図１
2005326526.tif 000002
【特許請求の範囲】
【請求項１】
少なくとも部数および一部当たり画像形成数の情報を含むジョブ要求に基づいて画像形成を行う画像形成装置において，
一定期間内の既画像形成数を記憶する積算値記憶部と，
一定期間内における画像形成数の上限値を記憶する上限値記憶部と，
ジョブ要求について，前記上限値記憶部に記憶されている上限値および前記積算値記憶部に記憶されている既画像形成数に基づいてその実行を許容するか制限するかを判定する実行可否判定部と，
ジョブ要求を受け付けて前記実行可否判定部の判定に供するジョブ要求受付部と，
前記実行可否判定部の判定に供されたジョブ要求を，実行が完了するまで判定結果とともに記憶するジョブ要求記憶部と，
前記実行可否判定部により実行が制限された状態で前記ジョブ要求記憶部に記憶されているジョブ要求について，前記積算値記憶部または前記上限値記憶部の記憶内容が変更されたときに再度前記実行可否判定部の判定に供する再試行部とを有することを特徴とする画像形成装置。
【請求項２】
請求項１に記載の画像形成装置において，前記実行可否判定部は，
ジョブ要求についてそのジョブの実行後の既画像形成数を算出し，算出結果が前記上限値記憶部に記憶されている上限値を超えないジョブ要求についてはその実行を許容し，算出結果が上限値を超えるジョブ要求についてはその実行を制限するものであることを特徴とする画像形成装置。
【請求項３】
請求項２に記載の画像形成装置において，
前記実行可否判定部は，実行を制限するジョブ要求については，実行後の既画像形成数が前記上限値記憶部に記憶されている上限値を超えない範囲内の部分のみ実行を許容し，
前記再試行部は，前記実行可否判定部により実行が制限されたジョブ要求について，未実行の部分のジョブ要求として前記実行可否判定部の判定に供することを特徴とする画像形成装置。
【請求項４】
請求項３に記載の画像形成装置において，
前記実行可否判定部および前記再試行部の部分実行を，部数単位で行うことを特徴とする画像形成装置。
【請求項５】
請求項１から請求項４までのいずれか１つに記載の画像形成装置において，
前記ジョブ要求受付部は，前記積算値記憶部に記憶されている既画像形成数が前記上限値記憶部に記憶されている上限値に達している場合でも新たなジョブ要求を受け付けることを特徴とする画像形成装置。
【発明の詳細な説明】
【技術分野】
【０００１】
本発明は，複写機，ファクシミリ，プリンタ等の画像形成装置に関する。さらに詳細には，管理値による管理機能を有する画像形成装置に関するものである。
【背景技術】
【０００２】
従来より，複写機等の画像形成装置に管理機能を備え，予め定められた各種の管理値が所定の値に達したとき，それ以後の処理を停止するものがある。例えば，出力用紙枚数，トナー消費量，電力消費量等を積算して記憶し，月ごとの所定の上限値や使用部門ごとの上限値等と常時比較して管理している。その管理方法として，従来では，上限に達した時点でユーザの都合に関係なく処理を停止していた。しかしこのような処理によると，ジョブの途中でプリントが停止したり，複数部数のジョブでは，初めの方のページだけが複数部出力されて停止する場合がある等の不都合が生じていた。
【０００３】
これに対し，特許文献１に記載の画像形成装置では，ジョブの途中で上限枚数に達した場合においても，確実にそのジョブを正常終了させる技術が開示されている。この文献にはさらに，プリント中に上限枚数に達したら，その時点で動作停止させるか，ジョブ終了まで動作させるかをユーザが選択できる技術も開示されている。また，特許文献２に記載の画像形成装置では，複数部数のジョブの途中で上限枚数に達する場合には，部数を変更して，出力可能な枚数の範囲内で，一部単位の完成した複写物を生成する技術が開示されている。
【特許文献１】特開２００２−５５５７６号公報
【特許文献２】特開平１１−１１９６１３号公報
【発明の開示】
【発明が解決しようとする課題】
【０００４】
しかしながら，前記した従来の画像形成装置ではいずれも，上限値の変更や月代わり等によるプリント再開時については言及されていない。一般的には，指示通り出力できたジョブも部分的にしか出力できなかったジョブも，その処理終了時には画像データ等は廃棄される。そのため，プリント再開時には，改めてプリント指示を入力する必要があった。しかも，部分的に出力されたジョブでは，前回の処理によって出力された枚数等を考慮して，適宜変更した指示入力をしなくてはならないため，さらに煩雑な手続きが必要であるという問題点があった。
【０００５】
本発明は，前記した従来の画像形成装置が有する問題点を解決するためになされたものである。すなわちその課題とするところは，管理値によってジョブの処理が制限された場合でも，条件が変更されれば，不足分のみを容易に入手できる画像形成装置を提供することにある。
【課題を解決するための手段】
【０００６】
この課題の解決を目的としてなされた本発明の画像形成装置は，少なくとも部数および一部当たり画像形成数の情報を含むジョブ要求に基づいて画像形成を行う画像形成装置であって，一定期間内の既画像形成数を記憶する積算値記憶部と，一定期間内における画像形成数の上限値を記憶する上限値記憶部と，ジョブ要求について，上限値記憶部に記憶されている上限値および積算値記憶部に記憶されている既画像形成数に基づいてその実行を許容するか制限するかを判定する実行可否判定部と，ジョブ要求を受け付けて実行可否判定部の判定に供するジョブ要求受付部と，実行可否判定部の判定に供されたジョブ要求を，実行が完了するまで判定結果とともに記憶するジョブ要求記憶部と，実行可否判定部により実行が制限された状態でジョブ要求記憶部に記憶されているジョブ要求について，積算値記憶部または上限値記憶部の記憶内容が変更されたときに再度実行可否判定部の判定に供する再試行部とを有するものである。
【０００７】
本発明の画像形成装置によれば，ジョブ要求には，少なくとも部数および一部当たり画像形成数の情報が含まれる。ここで画像形成数としては，例えば，出力枚数，出力ページ数等の情報が使用される。そして，実行可否判定部によって，上限値記憶部に記憶されている上限値および積算値記憶部に記憶されている既画像形成数に基づいて，そのジョブ要求の実行を許容するか制限するかが判定される。ここで，実行可否判定部により実行が制限されたジョブ要求は，実行が完了するまでジョブ要求記憶部に記憶されているので，実行不可能であったジョブ要求についても新たにジョブ要求を入力する必要はない。さらに，実行が制限されたジョブ要求は，再試行部によって，積算値記憶部または上限値記憶部の記憶内容が変更されたときに再度実行可否判定部の判定に供されるので，実行可能になった場合には自動的に再実行される。また，再試行部では，実行待ち状態となっているジョブ要求がキャンセルされた場合にも，実行が制限されたジョブ要求を再度実行可否判定部の判定に供するようにしても良い。これにより，管理値によってジョブの処理が制限された場合でも，条件が変更されれば，不足分のみを容易に入手できる。
【０００８】
さらに本発明では，実行可否判定部は，ジョブ要求についてそのジョブの実行後の既画像形成数を算出し，算出結果が上限値記憶部に記憶されている上限値を超えないジョブ要求についてはその実行を許容し，算出結果が上限値を超えるジョブ要求についてはその実行を制限するものであることが望ましい。
このようなものであれば，実行可否判定部によって，ジョブ実行前にそのジョブ要求の実行後の既画像形成数が算出される。ここで，そのジョブの実行後の既画像形成数とは，積算値記憶部に記憶されている既画像形成数に，そのジョブ要求によって形成される画像形成数を加算したものである。また，そのジョブ要求より前に，実行待ち状態となっているジョブ要求がある場合には，実行待ち状態のジョブ要求による画像形成数もさらに加算することが望ましい。これにより，そのジョブ要求の実行後の既画像形成数が上限値以内であるかどうかが判定される。従って，上限値を超えるジョブ要求の場合では，どの程度までの実行が可能であるかが予め判断できる。
【０００９】
さらに本発明では，実行可否判定部は，実行を制限するジョブ要求については，実行後の既画像形成数が上限値記憶部に記憶されている上限値を超えない範囲内の部分のみ実行を許容し，再試行部は，実行可否判定部により実行が制限されたジョブ要求について，未実行の部分のジョブ要求として実行可否判定部の判定に供することが望ましい。
このようなものであれば，ジョブ要求の全てを実行できない場合でも，実行可能な範囲内で実行が許容される。従って，ジョブ要求を小さくして入力し直す必要はない。さらに，再試行部では，未実行となった部分のジョブ要求として判定に供されるので，一度の入力によって，そのジョブ要求に対して合計して過不足無く実行される。
【００１０】
さらに本発明では，実行可否判定部および再試行部の部分実行を，部数単位で行うことが望ましい。
このようなものであれば，一部に満たない部分ページのみが出力されることがないので，出力された用紙が無駄になることがない。また，残りページのみを新たなジョブとして入力する煩雑な手続きが必要とされることもない。
【００１１】
さらに本発明では，ジョブ要求受付部は，積算値記憶部に記憶されている既画像形成数が上限値記憶部に記憶されている上限値に達している場合でも新たなジョブ要求を受け付けることが望ましい。
このようなものであれば，取りあえずジョブ要求だけは受け付けられるので，状況が変わるまで何度もジョブ要求を入力してみるという手間がかからない。
【発明の効果】
【００１２】
本発明の画像形成装置によれば，管理値によってジョブの処理が制限された場合でも，条件が変更されれば，不足分のみを容易に入手できる。
【発明を実施するための最良の形態】
【００１３】
以下，本発明を具体化した最良の形態について，添付図面を参照しつつ詳細に説明する。本形態は，管理値による管理機能を有する複写機に本発明を適用したものである。
【００１４】
本形態の複写機１は，図１にその概略構成を示すように，中央制御部１０と，その中央制御部１０に接続されたスキャナ部２０，操作パネル部３０，ＦＡＸ通信制御部４０，ネットワーク制御部５０，プリント部６０の各部を有している。中央制御部１０は，複写機１全体の制御を行う部分であり，上記の各部と画像データや指示情報の送受信を行う。さらに，中央制御部１０は，画像データ等を一時的に記憶する一時記憶部１１，画像データをプリント用に適宜変換するデータ変換部１２，管理機能を制御する管理制御部１３を有している。
【００１５】
管理制御部１３は，各種の管理値による複写機１の管理を行う。この管理制御部１３には，積算カウンタ１４，管理値設定部１５，記憶部１６，演算処理部１７が設けられている。管理値設定部１５で設定された管理値に対応する情報が，積算カウンタ１４で常時積算カウントされ，記憶部１６に記憶される。また，この記憶部１６に記憶されている情報に基づいて，演算処理部１７で各種の処理を行う。
【００１６】
以下では，所定の期間内のプリント出力枚数の上限値による管理を例として説明する。この場合，積算カウンタ１４は，プリント出力のたびにその出力枚数をカウントして積算する。管理値設定部１５は，管理者等によって所定期間内に出力許可されるプリント出力枚数の上限値を設定する。記憶部１６は，積算カウンタ１４の積算結果や管理値設定部１５で設定された上限値等を記憶する不揮発性の記憶装置である。演算処理部１７は，記憶部１６に記憶されている各種データを必要に応じて読み出し，入力されたジョブに対する処理を決定する。
【００１７】
また，スキャナ部２０は，所定の解像度で原稿を読み込み，画像データとして取得する。操作パネル部３０は，ユーザによる指示入力を受け付ける。この操作パネル部３０は，図２に示すように，液晶タッチパネル３１およびテンキー３２，クリアキー３３，スタートキー３４等の各種のキーを有している。入力待ち状態での液晶タッチパネル３１には，図２に示すように，管理者モードキー３５が表示されている。
【００１８】
ＦＡＸ通信制御部４０は，ＦＡＸによる画像データの送受信を行う。ネットワーク制御部５０は，ＬＡＮ等によってネットワーク接続されたパソコン等との画像データの送受信を行う。プリント部６０は，画像データを用紙に出力する。
【００１９】
次に，管理値の設定や変更の処理について説明する。管理値の設定や変更は，管理者によって操作パネル部３０を操作して入力されることにより，管理値設定部１５で処理される。すなわち，液晶タッチパネル３１に表示されている管理者モードキー３５が押下されると，管理者設定部１５は，液晶タッチパネル３１の表示内容を，図３の（ア）→（イ）と変化させる。そして，管理者に割り当てられた暗証番号の入力を要求する。管理者によって暗証番号が入力されると，図３（ウ）に示すように，複写機１は管理者モードへ移行する。
【００２０】
この図３（ウ）では，管理値として部門別上限のプリント出力枚数のみが設定されている様子を示している。ここでは，各部門の上限値は１０００枚に設定されている。管理者は，この管理者モードにおいて，設定変更する欄を押下することにより，設定変更や数値入力を行うことができる。その結果，設定された各上限値は，記憶部１６に記憶される。このとき，記憶部１６は，上限値記憶部として機能する。
【００２１】
例えば，この複写機１を使用するのが１つの部門のメンバーのみであれば，図３（ウ）に示した部門別上限値が複写機１のプリント出力枚数の上限値となる。また，複数の部門のメンバーで共有される複写機１の場合は，使用時にどの部門のメンバーであるかを入力させることにより，それぞれに設定された上限値によって管理することもできる。また，ユーザＩＤ等によって使用ユーザが区別される場合には，ユーザ別の上限値を設けても良い。
【００２２】
このように設定された上限値に基づいて，中央制御部１０の管理制御部１３では，複写機１の管理を行う。まず，管理値として設定された値（ここではプリント出力枚数）は，複写機１が使用されるたびに積算カウンタ１４で積算され，その積算結果が記憶部１６に記憶されている。以下では，この値をカウント値と呼ぶ。このとき，記憶部１６は，積算値記憶部として機能する。
【００２３】
さらに，管理制御部１３の演算処理部１７では，次のプリントジョブを受け付けると，記憶部１６に記憶されているカウント値に，そのジョブによって出力される予定のプリント出力枚数を加算し，その結果と設定されている上限値とを比較する。このとき，演算処理部１７は，ジョブ要求受付部および実行可否判定部として機能している。
【００２４】
一方，ユーザは，操作パネル部３０の液晶タッチパネル３１の操作によって，図４に示すように，その時点での管理値状況を表示させることができる。この図の状況では，ジョブ番号１〜５の５つのジョブが受付済みである。積算カウント値欄３６には，そのジョブの終了時点での予想カウント値が表示されている。すなわち，ジョブ番号順にすべて出力した場合，そのジョブの終了時にはプリント出力枚数がこの値となる。また，上限値欄３７には，この複写機１のプリント出力枚数の上限値が１０００枚に設定されていることが表示されている。
【００２５】
図４に示す例では，ジョブ番号１のジョブがこの時点でプリント実行中のジョブである。このジョブでは１０枚×１０部の１００枚をプリント出力する予定であり，このジョブの終了時には，カウント値が８００となる。また，図４の積算カウント値欄３６と上限値欄３７とを比較すると分かるように，ジョブ番号１〜３のジョブまでは，その終了時の積算カウント値が上限値以内であり，設定通りの出力が可能である。これに対し，ジョブ番号４のジョブ終了時の積算カウント値は１０５０枚であり，そのまま出力すると上限値１０００枚を超えてしまう。従って，ジョブ番号４のジョブは設定通りには出力できない。
【００２６】
このような場合，管理制御部１３の演算処理部１７では，まず部数を減らして対応する。すなわち，１部に満たない半端な部分を出力しないように，積算カウント値が上限値以内となるまで出力部数を減らす。例えば，図４のジョブ番号４のジョブは，設定では１０枚×１０部の１００枚であるが，１０枚×５部とすれば終了時の積算カウント値３６が１０００枚となり，上限値以内なので出力可能である。すなわち，この複写機１では，ジョブ番号４のジョブは，５部だけ出力され，残りは保留される。さらに，ジョブ番号５のジョブは，全く出力されることなく保留される。このことが，図４のプリント出力状況の欄に表示されている。
【００２７】
次に，複写機１によるプリント処理について説明する。図４に示した管理値状況から条件が変更されることなく処理が進行した場合，管理制御部１３はジョブ番号１のジョブのプリント出力が終了したら，そのジョブの情報を破棄する。さらに，続いてジョブ番号２と３のジョブを順次プリントし，終了したらその情報を破棄する。次の，ジョブ番号４のジョブは，出力可能範囲である５部のみをプリント出力した後，プリント出力を停止する。そして，ジョブ番号４の画像データと１０枚×５部が未出力であることを含むプリント未出力情報とを記憶部１６に記憶する。さらに，ジョブ番号５のジョブは全くプリント出力せず，その画像データと２０枚×１０部が未出力であることを含むプリント未出力情報とを記憶部１６に記憶する。このとき，記憶部１６は，ジョブ要求記憶部として機能する。
【００２８】
次に，プリント実行前にユーザによって予定が変更された場合の演算処理部１７による処理について説明する。例えば，図４に示した管理値状況を見たユーザが，ジョブ番号３のジョブを取りやめた場合である。この場合，図５（ア）→（イ）に示すように，ジョブ番号３のジョブが破棄される。そして，ジョブ番号４以降のジョブは，演算処理部１７によって再試行処理が行われる。その結果，ジョブ番号４のジョブ終了時の積算カウント値は９５０枚となり，ジョブ番号４のジョブはすべて出力可能となる。さらに，ジョブ番号５のジョブは２部のみ出力可能であり，その画像データと８部のプリントが未出力であるというプリント未出力情報が記憶部１６に記憶される。このとき，演算処理部１７は，再試行部として機能し，記憶部１６は，ジョブ要求記憶部として機能する。
【００２９】
次に，上限値が変更された場合について説明する。例えば，図６（ア）に示すようにジョブ番号４のジョブが途中で停止されていることに気づいたユーザが，管理者に頼んで上限値を引き上げてもらった場合である。この時点では，ジョブ番号１〜３のジョブは終了しており，図６（ア）に破線で示した部分は管理値状況としては表示されない。そして，上記の管理者モードによって上限値が１０００枚から１５００枚に変更されると，演算処理部１７によって再試行処理が行われる。その結果，図６（イ）に示すように，ジョブ番号４と５のジョブはともに出力可能な状態となる。そこで，複写機１は記憶部１６に記憶されている画像データとプリント未出力情報を読み出して，未出力となっていたジョブをプリント出力する。このとき，演算処理部１７は，再試行部として機能している。
【００３０】
次に，この複写機１の動作について，図７と図８のフローチャートを参照して説明する。図７は，ジョブ受付時の処理を示すフローチャートであり，図８は，条件変更時の処理を示すフローチャートである。
【００３１】
複写機１がユーザによるスタートボタン押下等によりジョブを受け付けると，管理制御部１３は，図７に示すジョブ受付処理を実行する。ジョブ受付処理がスタートするとまず，受け付けたジョブ情報から，そのジョブが設定通り実行された場合のプリント枚数を算出する（Ｓ１０１）。次に，その時のカウント値に受け付けたジョブのプリント枚数を加えた値と設定されている上限値とを比較する（Ｓ１０２）。その合計が上限値以下である場合は（Ｓ１０２：上限値以下），設定通りのプリントが可能であるので，受け付けたジョブをプリント部６０にプリント指示する（Ｓ１０３）。さらに，カウント値をカウントアップし（Ｓ１０４），この処理を終了する。
【００３２】
あるいは，このジョブのプリント枚数をカウント値に加えると上限値を超えてしまう場合は（Ｓ１０２：上限値を超える），このジョブを設定通りにプリントすることはできない。そこでまず，設定通り出力できないことをユーザに知らせる表示を，操作パネル部３０の液晶タッチパネル３１に表示する（Ｓ１０５）。この表示によって，ユーザに，このジョブを破棄するかどうかの判断を促す（Ｓ１０６）。破棄された場合は（Ｓ１０６：Ｙｅｓ），受け付けたジョブ情報を消去して，この処理を終了する。
【００３３】
破棄されなかった場合は（Ｓ１０６：Ｎｏ），続いて，そのジョブの設定部数が１であるかどうかを判断する（Ｓ１０７）。設定部数が１である場合には（Ｓ１０７：Ｙｅｓ），それ以上部数を減らすことは不可能である。そこで，このジョブの画像データと設定部数（ここでは１部）をプリント未出力情報として記憶部１６に記憶する（Ｓ１０８）。さらに，未出力となったジョブがあることを液晶タッチパネル３１に表示して（Ｓ１１４），この処理を終了する。
【００３４】
あるいは，設定部数が１ではない場合は（Ｓ１０７：Ｎｏ），設定部数を１減らす（Ｓ１０９）。そして，減らした部数でのプリント枚数とカウント値との合計を上限値と比較する（Ｓ１１０）。まだ上限値を超えている場合は（Ｓ１１０：上限値を超える），上限値以下となるか（Ｓ１１０：上限値以下），あるいは部数が１となる（Ｓ１０７：Ｙｅｓ）までさらに部数を減らす（Ｓ１０９）。部数が１となっても上限値を超えている場合は（Ｓ１０７：Ｙｅｓ），このジョブは全くプリントできないので，このジョブの画像データと設定部数をプリント未出力情報として記憶部１６に記憶する（Ｓ１０８）。さらに，未出力となったジョブがあることを液晶タッチパネル３１に表示して（Ｓ１１４），この処理を終了する。
【００３５】
あるいは，部数を減らした結果，合計枚数が上限値以下となったら（Ｓ１１０：上限値以下），その出力可能な部数だけプリント出力する（Ｓ１１１）。さらに，その画像データと出力できなかった部数とをプリント未出力情報として記憶部１６に記憶する（Ｓ１１２）。また，出力可能であったプリント枚数分だけカウント値をカウントアップする（Ｓ１１３）。そして，未出力となったジョブがあることを液晶タッチパネル３１に表示して（Ｓ１１４），この処理を終了する。これで，ジョブ受付時の処理についての説明を終了する。
【００３６】
次に，図８に基づいて，上限値等の条件が変更された場合の処理について説明する。この処理は，未出力となって記憶部１６に記憶されているジョブがあり，管理者が管理者モードにおいて上限値等の条件変更を行った場合に実行される。この処理が開始されるとまず，その時点でのカウント値と設定されている上限値とを比較する（Ｓ２０１）。カウント値が上限値以上である場合には（Ｓ２０１：上限値以上），この条件が変更されるまで待機する。
【００３７】
上限値が引き上げられた場合のように，カウント値が上限値未満となっている場合には（Ｓ２０１：上限値未満），上限値までのプリント出力が可能である。そこで，記憶部１６からプリント未出力情報を読み出す（Ｓ２０２）。次に，その未出力情報に含まれているジョブの未出力部数を設定部数として設定する（Ｓ２０３）。さらに，その設定部数のプリント枚数とカウント値との合計を上限値と比較する（Ｓ２０４）。
【００３８】
この合計値が上限値以下であれば（Ｓ２０４：上限値以下），その未出力であった部数全部のプリント出力が可能であるので，プリント可能となったことを液晶タッチパネル３１に表示する（Ｓ２０５）。さらにその部数の未出力ジョブをプリント部６０にプリント指示し（Ｓ２０６），プリント出力枚数分だけカウント値をカウントアップする（Ｓ２０７）。さらに，記憶部１６の内容から出力できたジョブの情報を消去して，プリント未出力情報を更新する（Ｓ２０８）。
【００３９】
あるいは，未出力部数すべてのプリントは不可能である場合には（Ｓ２０４：上限値を超える），設定部数が１であるかどうかを判断する（Ｓ２０９）。設定部数が１であれば（Ｓ２０９：Ｙｅｓ）それ以上部数を減らすことはできないので，このジョブのプリントは不可能である。設定部数が１でない場合は（Ｓ２０９：Ｎｏ），設定部数を１減らして（Ｓ２１０），再び上限値との比較を行う（Ｓ２０４）。そして，減らした部数でなら出力可能であれば（Ｓ２０４：上限値以下），Ｓ２０５〜Ｓ２０７の処理を行って，プリント出力する。さらに，このジョブの未出力部数が残りの部数となるように，未出力情報を更新する（Ｓ２０８）。
【００４０】
以上の処理の結果，未出力ジョブがすべて終了したかどうかを判断する（Ｓ２１１）。未出力ジョブを全てプリント終了し，これで未出力ジョブがなくなった場合は（Ｓ２１１：Ｙｅｓ），この処理を終了する。まだ未出力ジョブが残っている場合は，Ｓ２０１に戻って，各条件が変更されるまで待機する。これで，条件変更時の処理についての説明を終了する。
【００４１】
なお，一般に複写機１では，そのジョブを指示入力したユーザを区別することはできない。しかし，例えばＬＡＮ等のネットワークで接続されたプリンタや，ユーザＩＤ等でユーザを区別することの可能な複写機の場合には，Ｓ２０５でプリント可能のメッセージを表示する際に，その情報をジョブを入力したユーザ宛にも送信しても良い。ＬＡＮ接続された各ユーザのＰＣにメール送信したり，ユーザの携帯電話にメール送信するようにしても良い。
【００４２】
また，未出力ジョブが出力可能となった時に，Ｓ２０５のメッセージ表示後すぐプリント出力する代わりに，メッセージを表示した状態で待機するようにしても良い。この場合は，例えば，ユーザによってスタートキー押下等の指示があった時に初めて出力するようにする。このようにすれば，ユーザが気づかないうちにプリント出力されていたり，出力用紙が散逸する等のおそれがない。
【００４３】
以上詳細に説明したように，本形態の複写機１は，例えば，プリント出力枚数の上限値等の管理値によって管理されている。そして，受け付けたプリントジョブを指示通り出力するとその上限値を超えると判断された場合には，出力する部数を減らして可能な枚数の範囲のみプリント出力する。さらに，指示通り出力できなかったジョブについては，その画像データと残り部数等の指示情報とを記憶部１６に記憶する。その後，上限値等の変更があった場合には，記憶部１６に記憶されている画像データと指示情報とを元に，出力できなかったプリント出力を行う。従って，改めて指示入力する必要はなく，不足分のみがプリント出力される。これにより，管理値によってジョブの処理が制限された場合でも，条件が変更されれば，不足分のみを容易に入手できる複写機１となっている。
【００４４】
なお，本形態は単なる例示にすぎず，本発明を何ら限定するものではない。したがって本発明は当然に，その要旨を逸脱しない範囲内で種々の改良，変形が可能である。
例えば，上記の形態では，管理値としてプリント出力枚数の上限値を使用して説明しているが，トナー使用量やプリントページ数（両面印刷の場合は１枚で２ページとなる）等の他の管理値によっても，同様の処理によって管理できる。
また例えば，本形態の複写機１の構成は一例であり，ＦＡＸ通信制御部４０やネットワーク制御部５０は有していなくても良い。また，操作パネル部３０の構成も一例であり，これに限るものではない。
また例えば，本形態では複写機１に本発明を適用したが，プリンタ，ファクシミリ等の画像形成装置に適用することも可能である。
【図面の簡単な説明】
【００４５】
【図１】本形態の複写機の概略構成を示すブロック図である。
【図２】複写機の操作パネル部を示す説明図である。
【図３】管理値を設定する際の液晶タッチパネルの表示状態を示す説明図である。
【図４】液晶タッチパネルに管理値状況が表示された状態を示す説明図である。
【図５】管理値状況の変更を示す説明図である。
【図６】管理値状況の変更を示す説明図である。
【図７】複写機のジョブ受付処理を示すフローチャートである。
【図８】複写機の条件変更処理を示すフローチャートである。
【符号の説明】
【００４６】
１  複写機（画像形成装置）
１６  記憶部（積算値記憶部，上限値記憶部，ジョブ要求記憶部）
１７  演算処理部（実行可否判定部，ジョブ要求受付部，再試行部）
【図１】
2005326526.tif 000003
【図２】
2005326526.tif 000004
【図３】
2005326526.tif 000005
【図４】
2005326526.tif 000006
【図５】
2005326526.tif 000007
【図６】
2005326526.tif 000008
【図７】
2005326526.tif 000009
【図８】
2005326526.tif 000010